(57)【要約】【課題】主に各種電子機器の操作に用いられるリモコン送信機に関し、液晶表示素子の照光ムラがなく、見易く操作の行い易いものを提供することを目的とする。【解決手段】操作体１６の端部を導光体１５と発光素子７の間に延出させ、拡散部１６Ｂを設けることによって、操作体１６に一体に形成された拡散部１６Ｂで、発光素子７の光が拡散されてから導光体１５に入射し、導光体１５が均等な明るさで発光するため、液晶表示素子２のムラのない良好な照光が行え、表示が見易く容易に操作が可能なリモコン送信機を得ることができる。【選択図】図１
2010278607.tif 000002
【特許請求の範囲】
【請求項１】
略箱型のケースの開口孔に装着された液晶表示素子と、この液晶表示素子の下面に配置された導光体と、この導光体の側面に配置された発光素子と、上記ケース上面から操作部が突出した操作体と、この操作部の操作によって電気的接離を行うスイッチ接点と、このスイッチ接点の電気的接離に応じて、送信手段からリモコン信号を送信する制御手段からなり、上記操作体の端部を上記導光体と発光素子の間に延出させ、拡散部を設けたリモコン送信機。
【請求項２】
操作体端部の拡散部と導光体を一体に形成した請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、液晶表示素子等の表示手段を設け、この表示手段に音量や温度等の操作機能を表示することによって、多様な操作を行い易くしたものが増えている。
【０００３】
このような従来のリモコン送信機について、図４〜図６を用いて説明する。
【０００４】
図４は従来のリモコン送信機の断面図、図５は同分解斜視図であり、同図において、１は略箱型で絶縁樹脂製のケースで、上面には開口孔１Ａや複数の貫通孔１Ｂが形成されている。
【０００５】
そして、２は液晶表示素子、３は絶縁樹脂製の透明なパネルで、液晶表示素子２がケース１上面の開口孔１Ａ内に装着されると共に、この上面をパネル３が覆っている。
【０００６】
また、４は上下面に複数の配線パターン（図示せず）が形成された配線基板、５は導電層と絶縁層が前後方向に所定間隔で積層されたゴム等の弾性接続体で、弾性接続体５が上下方向にやや撓んだ状態で、液晶表示素子２と配線基板４の間に装着され、この複数の弾性接続体５を介して、液晶表示素子２両端が配線基板４の配線パターンに電気的に接続されている。
【０００７】
さらに、６は下面の傾斜面が微細な凹凸状に形成された絶縁樹脂製の透明な導光体、７は発光ダイオード等の発光素子で、導光体６が液晶表示素子２下面に配置されると共に、配線基板４上面に実装された複数の発光素子７が、導光体６の右側面に発光面を向けて配置されている。
【０００８】
また、８はゴムや絶縁樹脂等の操作体で、操作体８上面には、下端に略ドーム状の薄肉部が設けられた複数の操作部８Ａが形成されると共に、この複数の操作部８Ａがケース１上面の複数の貫通孔１Ｂから、上下動可能に突出している。
【０００９】
そして、９はプッシュスイッチ等のスイッチ接点で、複数の操作部８Ａ下方の配線基板４上面に複数のスイッチ接点９が実装され、操作部８Ａの上下動に応じて、これらのスイッチ接点９の電気的接離が行われるようになっている。
【００１０】
さらに、配線基板４の上下面には発光ダイオード等によって送信手段１０や、マイコン等によって制御手段１１が形成されると共に、この制御手段１１に配線パターンを介して、液晶表示素子２や発光素子７、スイッチ接点９、送信手段１０が電気的に接続されている。
【００１１】
また、１２は絶縁樹脂製のカバーで、この電池収納部１２Ａ等が形成されたカバー１２がケース１下面を覆うと共に、複数のねじ１３によってケース１とカバー１２が固着されて、リモコン送信機が構成されている。
【００１２】
以上の構成において、リモコン送信機で操作する電子機器、例えばテレビやエアコンに向けて、例えば音量や温度切換用等の所定の操作部８Ａを押圧操作すると、この下方のスイッチ接点９の電気的接離が行われ、この電気的接離に応じて制御手段１１が、送信手段１０から赤外線のリモコン信号を電子機器へ送信し、これによって例えば、テレビの音量やエアコン温度等の切換が遠隔操作によって行われる。
【００１３】
また、このような操作に応じて制御手段１１が発光素子７を発光させ、この光が導光体６に入射し微細な凹凸状の下面で反射して、液晶表示素子２を下面から照光すると共に、液晶表示素子２に表示された音量や温度等の表示を、制御手段１１が操作に応じた値や表示に切換える。
【００１４】
つまり、所定の操作部８Ａの押圧操作によって、制御手段１１が送信手段１０から所定のリモコン信号を送信して、電子機器の遠隔操作を行うと共に、制御手段１１が発光素子７によって液晶表示素子２を照光し、液晶表示素子２に音量や温度等の様々な操作機能を表示することで、多様な操作を容易に行えるように構成されているものであった。
【００１５】
なお、この出願の発明に関連する先行技術文献情報としては、例えば、特許文献１が知られている。
【先行技術文献】
【特許文献】
【００１６】
【特許文献１】特開２００５−２２３３８６号公報
【発明の概要】
【発明が解決しようとする課題】
【００１７】
しかしながら、上記従来のリモコン送信機においては、制御手段１１が発光素子７を発光させ、この光が導光体６下面で反射して、液晶表示素子２を下面から照光する際、図６の平面図に示すように、複数の発光素子７近傍の導光体６右端の破線部のみが局部的に明るく発光し、液晶表示素子２の照光に明るさのムラが生じてしまうため、液晶表示素子２の表示が見づらくなり、操作が行いづらくなってしまうという課題があった。
【００１８】
本発明は、このような従来の課題を解決するものであり、液晶表示素子の照光ムラがなく、見易く容易に操作が可能なリモコン送信機を提供することを目的とする。
【課題を解決するための手段】
【００１９】
上記目的を達成するために本発明は、以下の構成を有するものである。
【００２０】
本発明の請求項１に記載の発明は、操作体の端部を導光体と発光素子の間に延出させ、拡散部を設けてリモコン送信機を構成したものであり、操作体に一体に形成された拡散部によって、発光素子の光が拡散されてから導光体に入射し、導光体が均等な明るさで発光するため、液晶表示素子のムラのない良好な照光が行え、表示が見易く容易に操作が可能なリモコン送信機を得ることができるという作用を有する。
【００２１】
請求項２に記載の発明は、請求項１記載の発明において、操作体端部の拡散部と導光体を一体に形成したものであり、操作体に拡散部に加え、導光体も一体に形成することによって、構成部品数を減らし、リモコン送信機をより簡易な構成で、安価なものとすることができるという作用を有する。
【発明の効果】
【００２２】
以上のように本発明によれば、液晶表示素子の照光ムラがなく、見易く操作の行い易いリモコン送信機を実現できるという有利な効果が得られる。
【図面の簡単な説明】
【００２３】
【図１】本発明の一実施の形態によるリモコン送信機の断面図
【図２】同分解斜視図
【図３】同他の実施の形態による断面図
【図４】従来のリモコン送信機の断面図
【図５】同分解斜視図
【図６】同平面図
【発明を実施するための形態】
【００２４】
以下、本発明の実施の形態について、図１〜図３を用いて説明する。
【００２５】
なお、背景技術の項で説明した構成と同一構成の部分には同一符号を付して、詳細な説明を簡略化する。
【００２６】
（実施の形態）
図１は本発明の一実施の形態によるリモコン送信機の断面図、図２は同分解斜視図であり、同図において、１は略箱型でポリスチレンやＡＢＳ等の絶縁樹脂製のケースで、上面には開口孔１Ａや複数の貫通孔１Ｂが形成されている。
【００２７】
そして、２は液晶表示素子、３はポリカーボネート等の絶縁樹脂製の透明なパネルで、液晶表示素子２がケース１上面の開口孔１Ａ内に装着されると共に、この上面をパネル３が覆っている。
【００２８】
また、４は紙フェノールやガラス入りエポキシ等の配線基板、５は導電層と絶縁層が前後方向に所定間隔で積層されたゴム等の弾性接続体で、配線基板４の上下面には銅箔等によって複数の配線パターン（図示せず）が形成されると共に、弾性接続体５が上下方向にやや撓んだ状態で、液晶表示素子２と配線基板４の間に装着され、この複数の弾性接続体５を介して、液晶表示素子２両端が配線基板４の配線パターンに電気的に接続されている。
【００２９】
さらに、１５はアクリル等の絶縁樹脂製の透明な導光体、７は発光ダイオード等の発光素子で、導光体１５が液晶表示素子２下面に配置されると共に、導光体１５下面の傾斜面はエッチングやサンドブラスト等によって微細な凹凸状に形成され、この側方の配線基板４上面に複数の発光素子７が実装されている。
【００３０】
また、１６はシリコーンゴムやエラストマー等の操作体で、上面には下端に略ドーム状の薄肉部が設けられた複数の操作部１６Ａが形成されると共に、この複数の操作部１６Ａがケース１上面の複数の貫通孔１Ｂから、上下動可能に突出している。
【００３１】
そして、操作体１６中央の開口孔端部には、導光体１５と発光素子７の間に延出する、シリカやアルミナ、酸化チタン等の微細粒子が分散された乳白色の拡散部１６Ｂが、二色成形等によって一体に設けられると共に、この左側面が導光体１５右側面に当接した拡散部１６Ｂの右側面に、複数の発光素子７が発光面を向けて配置されている。
【００３２】
さらに、９はプッシュスイッチ等のスイッチ接点で、複数の操作部１６Ａ下方の配線基板４上面に複数のスイッチ接点９が実装され、操作部１６Ａの上下動に応じて、これらのスイッチ接点９の電気的接離が行われるようになっている。
【００３３】
また、配線基板４の上下面には発光ダイオード等によって送信手段１０や、マイコン等によって制御手段１１が形成されると共に、この制御手段１１に配線パターンを介して、液晶表示素子２や発光素子７、スイッチ接点９、送信手段１０が電気的に接続されている。
【００３４】
そして、１２はＡＢＳ等の絶縁樹脂製のカバーで、この電池収納部１２Ａ等が形成されたカバー１２がケース１下面を覆うと共に、複数のねじ１３によってケース１とカバー１２が固着されて、リモコン送信機が構成されている。
【００３５】
以上の構成において、リモコン送信機で操作する電子機器、例えばテレビやエアコンに向けて、例えば音量や温度切換用等の所定の操作部１６Ａを押圧操作すると、この下方のスイッチ接点９の電気的接離が行われ、この電気的接離に応じて制御手段１１が、送信手段１０から赤外線のリモコン信号を電子機器へ送信し、これによって例えば、テレビの音量やエアコン温度等の切換が遠隔操作によって行われる。
【００３６】
また、このような操作に応じて制御手段１１が発光素子７を発光させ、この光が拡散部１６Ｂを通って拡散された後、導光体１５内に入射し微細な凹凸状の下面で反射して、液晶表示素子２を下面から照光すると共に、液晶表示素子２に表示された音量や温度等の表示を、制御手段１１が操作に応じた値や表示に切換える。
【００３７】
つまり、所定の操作部１６Ａの押圧操作によって、制御手段１１が送信手段１０から所定のリモコン信号を送信して、電子機器の遠隔操作を行うと共に、制御手段１１が発光素子７によって液晶表示素子２を照光し、液晶表示素子２に音量や温度等の様々な操作機能を表示することで、多様な操作を容易に行えるように構成されている。
【００３８】
そして、このように制御手段１１が発光素子７を発光させ、液晶表示素子２の照光を行う際、上述したように、発光素子７と導光体１５の間には、操作体１６端部が延出した拡散部１６Ｂが設けられているため、導光体１５全体が均等な明るさで発光し、液晶表示素子２のムラのない良好な照光が行えるようになっている。
【００３９】
すなわち、発光素子７の光が先ず拡散部１６Ｂに入射し、この拡散部１６Ｂ内で拡散された後、導光体１５内に入射して微細な凹凸状の下面で反射することによって、複数の発光素子７近傍の導光体１５右端のみが局部的に明るく発光することを防ぎ、導光体１５全体が均等な明るさで発光し、液晶表示素子２がムラなく均等な明るさで照光されるように構成されている。
【００４０】
つまり、導光体１５と発光素子７の間に、操作体１６端部が延出した拡散部１６Ｂを設けることで、導光体１５が均等な明るさで発光し、液晶表示素子２がムラなく照光されることによって、液晶表示素子２の表示が見易くなり、操作が容易に行えるようになっている。
【００４１】
また、このように拡散部１６Ｂを二色成形等によって、操作体１６端部に一体に形成することによって、導光体１５と発光素子７の間に拡散部材等の別部品を設ける必要がなくなり、構成部品数を少なくし、安価にリモコン送信機を構成することが可能となる。
【００４２】
さらに、以上の説明では、操作体１６の端部を導光体１５と発光素子７の間に延出させ、ここに拡散部１６Ｂを設けた構成について説明したが、図３の断面図に示すように、拡散部１６Ｃをさらに液晶表示素子２下面の左方へ延出させると共に、この下面の傾斜面に微細な凹凸状を設けて導光体１５と同じ形状に形成し、操作体１６に拡散部に加え、導光体も一体に形成することによって、導光体１５が不要となって構成部品数が少なくなり、より簡易な構成で安価なものとすることができる。
【００４３】
このように本実施の形態によれば、操作体１６の端部を導光体１５と発光素子７の間に延出させ、拡散部１６Ｂを設けることによって、操作体１６に一体に形成された拡散部１６Ｂで、発光素子７の光が拡散されてから導光体１５に入射し、導光体１５が均等な明るさで発光するため、液晶表示素子２のムラのない良好な照光が行え、表示が見易く容易に操作が可能なリモコン送信機を得ることができるものである。
【００４４】
なお、以上の説明では、配線基板４上面にプッシュスイッチ等を実装して、複数のスイッチ接点９を形成した構成について説明したが、操作体１６の操作部１６Ａ下面にカーボン等の可動接点を設けると共に、この下方の配線基板４上面に複数の固定接点を形成し、これらの可動接点と固定接点を対向させたものや、あるいは、配線基板４上面の固定接点上に略ドーム状で導電金属薄板製の可動接点を載置したもの等、様々なスイッチ接点を用いた構成としても、本発明の実施は可能である。
【産業上の利用可能性】
【００４５】
本発明によるリモコン送信機は、液晶表示素子の照光ムラがなく、見易く操作の行い易いものが得られ、主に各種電子機器の遠隔操作用として有用である。
【符号の説明】
【００４６】
１  ケース
１Ａ  開口孔
１Ｂ  貫通孔
２  液晶表示素子
３  パネル
４  配線基板
５  弾性接続体
７  発光素子
９  スイッチ接点
１０  送信手段
１１  制御手段
１２  カバー
１２Ａ  電池収納部
１３  ねじ
１５  導光体
１６  操作体
１６Ａ  操作部
１６Ｂ、１６Ｃ  拡散部
【図１】
2010278607.tif 000003
【図２】
2010278607.tif 000004
【図３】
2010278607.tif 000005
【図４】
2010278607.tif 000006
【図５】
2010278607.tif 000007
【図６】
2010278607.tif 000008